(57)【要約】【課題】別体でなる巻き芯が不用なロール状の記録媒体及びその巻回方法を提供すること。【解決手段】巻回される記録媒体Ｒ１の最終端ＭＲＥに設けられた舌片１と、最終端から始端方向ＲＴに所定距離離して設けられた穴部２と、舌片を穴部に填めて形成した巻き芯３とを有する。これにより、従来必要であった別体でなるロール状の記録媒体の巻き芯を不用とすることができるので、省資源化及び低コスト化を図ることができるとともに、巻き芯分の記録媒体を増加させたロール状の記録媒体を提供することができる。【選択図】　　　図４
2004067358.tif 000002
【特許請求の範囲】
【請求項１】
巻回される記録媒体の終端側に所定距離離して設けられた舌片及び穴部と、
前記舌片を前記穴部に填めて形成した巻き芯とを有することを特徴とするロール状記録媒体。
【請求項２】
前記舌片は、前記記録媒体の最終端に設けられ、
前記穴部は、前記最終端から始端方向に所定距離離して設けられていることを特徴とする請求項１に記載のロール状記録媒体。
【請求項３】
前記穴部は、前記記録媒体の最終端側に設けられ、
前記舌片は、前記最終端から始端方向に所定距離離して設けられていることを特徴とする請求項１に記載のロール状記録媒体。
【請求項４】
前記舌片と前記穴部の組は、１組もしくは前記記録媒体の幅方向に２組以上設けられていることを特徴とする請求項１〜３の何れか一項に記載のロール状記録媒体。
【請求項５】
１つの前記舌片に対応する前記穴部が、前記記録媒体の始端方向に２つ以上設けられていることを特徴とする請求項１〜４の何れか一項に記載のロール状記録媒体。
【請求項６】
巻回される記録媒体の終端側に所定距離離して舌片及び穴部を設け、
前記記録媒体の終端を巻いて前記舌片を前記穴部に填め、
前記記録媒体の終端により巻き芯を形成してから前記記録媒体を巻回することを特徴とするロール状記録媒体の巻回方法。
【請求項７】
前記舌片は、前記記録媒体の最終端に設けられ、
前記穴部は、前記最終端から始端方向に所定距離離して設けられていることを特徴とする請求項６に記載のロール状記録媒体の巻回方法。
【請求項８】
前記穴部は、前記記録媒体の最終端側に設けられ、
前記舌片は、前記最終端から始端方向に所定距離離して設けられていることを特徴とする請求項６または７に記載のロール状記録媒体の巻回方法。
【請求項９】
前記舌片と前記穴部の組は、１組もしくは前記記録媒体の幅方向に２組以上設けられていることを特徴とする請求項６〜８の何れか一項に記載のロール状記録媒体の巻回方法。
【請求項１０】
１つの前記舌片に対応する前記穴部が、前記記録媒体の始端方向に２つ以上設けられていることを特徴とする請求項６〜９の何れか一項に記載のロール状記録媒体の巻回方法。
【発明の詳細な説明】
【０００１】
【発明の属する技術分野】
本発明は、巻回されたロール状の記録媒体及びその巻回方法に関する。
【０００２】
【従来の技術】
記録装置では、記録する用紙としていわゆるカット紙とロール紙が主に用いられている。例えばカット紙を用いる場合、カット紙は、ホッパーに一旦積層され保持された後、最上層のカット紙から順に給紙部により搬送部へ給紙される。そして、そのカット紙は、搬送部により記録部へ搬送され、記録部により印刷された後、搬送部により排出部へ搬送され排出される。
【０００３】
また、ロール紙を用いる場合、ロール紙は、ロール紙ホルダから給紙部を介して搬送部へ引き出された後、搬送部により記録部へ搬送され、記録部により印刷される。そして、ロール紙は、搬送部により切断部へ搬送された後、切断部により記録が完了した部分が所定長さに切断され、搬送部により排出部へ搬送され排出される。
【０００４】
このロール紙は、紙管で成る巻き芯の周面に巻回されているが、印刷中や巻き戻し時に巻きが膨らんで正常な動作ができなくなる場合がある。このため、ロール紙の終端は巻き芯の周面に接着固定されており、印刷中や巻き戻し時に巻きが膨らんだときや、ロール紙ホルダから脱着する際に、ロール紙ホルダの回転ノブを手動もしくは自動にて回転させることによりロール紙を巻き戻すことが可能なようになっている。なお、ロール紙は、最終的には終端の接着固定部が巻き芯から剥離して最終端部まで印刷される。
【０００５】
【発明が解決しようとする課題】
上述したロール紙の巻き芯は、ロール紙ホルダに固定するためのものであり、ロール紙を終端まで使い切った後はゴミとして廃棄されている。このような巻き芯を有効利用することは省資源の観点からも望ましいことではあるが、現状では達成されていない。
【０００６】
本発明は、上記のような課題に鑑みなされたものであり、その目的は、別体でなる巻き芯が不用なロール状の記録媒体及びその巻回方法を提供することにある。
【０００７】
【課題を解決するための手段】
上記目的達成のため、本発明の請求項１に係るロール状記録媒体は、巻回される記録媒体の終端側に所定距離離して設けられた舌片及び穴部と、前記舌片を前記穴部に填めて形成した巻き芯とを有することを特徴としている。これにより、従来必要であった別体でなるロール状の記録媒体の巻き芯を不用とすることができるので、省資源化及び低コスト化を図ることができるとともに、巻き芯分の記録媒体を増加させたロール状の記録媒体を提供することができる。
【０００８】
請求項２に係る発明では、請求項１に記載のロール状記録媒体において、前記舌片は、前記記録媒体の最終端に設けられ、前記穴部は、前記最終端から始端方向に所定距離離して設けられていることを特徴としている。また、請求項３に係る発明では、請求項１に記載のロール状記録媒体において、前記穴部は、前記記録媒体の最終端側に設けられ、前記舌片は、前記最終端から始端方向に所定距離離して設けられていることを特徴としている。
【０００９】
請求項４に係る発明では、請求項１〜３の何れか一項に記載のロール状記録媒体において、前記舌片と前記穴部の組は、１組もしくは前記記録媒体の幅方向に２組以上設けられていることを特徴としている。これにより、幅が異なるロール状の記録媒体に対応することができる。
【００１０】
請求項５に係る発明では、請求項１〜４の何れか一項に記載のロール状記録媒体において、１つの前記舌片に対応する前記穴部が、前記記録媒体の始端方向に２つ以上設けられていることを特徴としている。これにより、１つの舌片を２つ以上の穴部でしっかりと係止することができるので、記録媒体の巻き解けを確実に防止することができる。
【００１１】
本発明の請求項６に係るロール状記録媒体の巻回方法では、巻回される記録媒体の終端側に所定距離離して舌片及び穴部を設け、前記記録媒体の終端を巻いて前記舌片を前記穴部に填め、前記記録媒体の終端により巻き芯を形成してから前記記録媒体を巻回することを特徴としている。請求項７に係る発明では、請求項６に記載のロール状記録媒体において、前記舌片は、前記記録媒体の最終端に設けられ、前記穴部は、前記最終端から始端方向に所定距離離して設けられていることを特徴としている。請求項８に係る発明では、請求項６または７に記載のロール状記録媒体において、前記穴部は、前記記録媒体の最終端側に設けられ、前記舌片は、前記最終端から始端方向に所定距離離して設けられていることを特徴としている。請求項９に係る発明では、請求項６〜８の何れか一項に記載のロール状記録媒体の巻回方法において、前記舌片と前記穴部の組は、１組もしくは前記記録媒体の幅方向に２組以上設けられていることを特徴としている。請求項１０に係る発明では、請求項６〜９の何れか一項に記載のロール状記録媒体の巻回方法において、１つの前記舌片に対応する前記穴部が、前記記録媒体の始端方向に２つ以上設けられていることを特徴としている。
【００１２】
【発明の実施の形態】
以下、図面に基づいて本発明の実施の形態について詳細に説明する。図１は、本発明の一実施の形態に係る記録装置の１つであるインクジェット式記録装置の外装構成の全体を斜め前方から見た斜視図である。このインクジェット式記録装置１００は、全体が幅方向に長く延びる略直方体状のハウジング１０１を備えている。このハウジング１０１の上部から前面にかけて形成されている窓部は、透明もしくは半透明な湾曲したカバー１１０によって覆われている。
【００１３】
そして、ハウジング１０１の上部右側には、操作部１２０等が配設され、ハウジング１０１の前部右側には、カードスロット部１３０等が配設されている。さらに、ハウジング１０１の後方側には、給紙口１４０等が配設され、ハウジング１０１の前方側には、排紙口１５０及び排紙スタッカ１６０等が配設されている。このインクジェット式記録装置１００は、不連続の用紙、すなわちカット紙の印刷と、連続した用紙、すなわちロール紙の印刷が可能となっている。
【００１４】
カバー１１０は、その上部の回動軸を中心に図１の矢印ａ方向に回動可能に取り付けられている。ユーザは、カバー１１０を持ち上げて窓部を開放することにより、窓部を通して後述するキャリッジ上に収納されるインクカートリッジの交換作業や内部機構のメンテナンス作業等を行うことができる。
【００１５】
操作部１２０は、パワーをオン・オフするパワー系のスイッチ１２１と、用紙の頭出し等を操作したり、インクのフラッシング等を操作する操作系のスイッチ１２２と、画像処理等を行う処理系のスイッチ１２３と、状態を表示する液晶パネル１２４等を備えている。
【００１６】
カードスロット部１３０は、ＰＣＭＣＩＡ　ＡＴＡ規格に準拠したメモリカードや、コンパクトフラッシュ、スマートメディア、メモリースティック、マイクロドライブ、ＳＤカード等を必要であればＰＣカード用アダプタを介して読み書きするメモリカードドライブを備えている。
【００１７】
給紙口１４０には、その後縁と両端縁を囲むようにガイド壁１４１、１４２、１４３が形成されている。ガイド壁１４１は、用紙の面をガイドし、ガイド壁１４２は、用紙の一方のサイドエッジをガイドする機能を有する。そして、用紙のサイズが異なっても確実に用紙をガイドすることができるように、用紙の他方のサイドエッジをガイドするエッジガイドが、給紙口１４０の両端縁に形成されているガイド壁１４２、１４３間を、後縁に形成されているガイド壁１４１に沿って移動可能なように装着されている。
【００１８】
排紙口１５０の近傍には、ロール紙を所定の長さに切断するカッタ２０（図２、図３参照）と、用紙を排出する排紙ローラ１９９（図２、図３参照）が用紙搬送方向に順に配設されている。カッタ２０は、長尺の固定刃とこの固定刃に沿って移動可能な移動刃とこの移動刃を移動させる無端駆動ベルトを備えている。ロール紙が切断位置に位置決めされると、無端駆動ベルトの駆動により移動刃がロール紙の幅方向に移動開始して固定刃と協働しながらロール紙を剪断するようになっている。
【００１９】
排紙スタッカ１６０は、基端側の回動軸を中心にハウジング１０１の前面に図１の矢印ｂ方向に回動可能に取り付けられた１段目のスタッカ部材１６１と、この１段目のスタッカ部材１６１に対し格納・引出自在に設けられた先端側の２段目のスタッカ部材１６２と、この２段目のスタッカ部材１６２に対し格納・引出自在に設けられた先端側の３段目のスタッカ部材１６３の３段で構成されている。
【００２０】
この排紙スタッカ１６０は、不使用時は２断目と３段目のスタッカ部材１６２、１６３が１断目と２段目のスタッカ部材１６１、１６２に押し込まれて格納されるとともに、起立方向に回動されて排紙口１５０を閉鎖するようになっている。また、使用時は倒伏方向に回動されて排紙口１５０を開放するとともに、２断目と３段目のスタッカ部材１６２、１６３が１断目と２段目のスタッカ部材１６１、１６２から引き出されて、排出される用紙を受けて載置するようになっている。なお、２断目と３段目のスタッカ部材１６２、１６３は、用紙の大きさにより格納された状態で、あるいは引き出された状態で使用可能となっている。
【００２１】
図２及び図３は、インクジェット式記録装置１００の内部構成例を示す断面側面図である。図２に示すように、カット紙Ｐを印刷する場合は給紙口１４０の背部にカット紙Ｐを保持するペーパーサポート１４４が取り付けられ、また、図３に示すように、ロール紙Ｒを印刷する場合は給紙口１４０の背部にロール紙Ｒを保持したロール紙ホルダ１０が取り付けられる。なお、ペーパーサポート１４４とロール紙ホルダ１０は、着脱可能に構成されており、何れか一方が取り付けられるようになっている。ペーパーサポート１４４は、カット紙Ｐの面を保持する機能を有し、給紙口１４０のガイド壁１４１に近接して斜め後方に突き出るように配設される。ロール紙ホルダ１０は、後で詳述するが、給紙口１４０の後方に着脱自在に取り付けられる。
【００２２】
そして、図２に示すように、給紙口１４０から差し込まれ、ホッパー１９１に積載された複数枚のカット紙Ｐは、給紙ローラ１９２の回転に伴うホッパー１９１の上昇により、分離パッド１９３で給紙ローラ１９２に押付けられて最上位のカット紙Ｐから１枚づつ分離され、ぺーパーガイド１９４に沿って紙送りローラ１９５に給送される。一方、図３に示すように、ロール紙ホルダ１０から引き出され、給紙口１４０から紙送りローラ１９５に差し込まれたロール紙Ｒは、紙送りローラ１９５とその従動ローラ１９５ａとで挟持される。
【００２３】
そして、図２に示すカット紙Ｐあるいは図３に示すロール紙Ｒは、紙送りローラ１９５とその従動ローラ１９５ａによりキャリッジ１９６の底部に搭載された記録ヘッド１９７側へ送り出されて印刷される。このとき、インクジェット式記録装置１００の制御部は、例えばイエロー、ライトイエロー、マゼンタ、ライトマゼンタ、シアン、ライトシアン、ブラックの計７色のインクカートリッジ１９８から記録ヘッド１９７へ各色インクを供給し、各色インクの吐出タイミング及びキャリッジ１９６や紙送りローラ１９５の駆動を制御して、高精度なインクドット制御、ハーフトーン処理等を実行する。最後に、カット紙Ｐは、排紙ローラ１９９とその従動ローラ１９９ａにより排紙口１５０から排紙され、またロール紙Ｒは、カッタ２０により所定長さに切断された後、排紙ローラ１９９とその従動ローラ１９９ａにより排紙口１５０から排紙される。
【００２４】
図４（Ａ）は、第１の実施の形態であるロール紙の巻回前の状態を示す平面図、同図（Ｂ）は、その巻回開始の状態を示す斜視図である。このロール紙Ｒ１には、同図（Ａ）に示すように、最終端ＭＲＥの略中央部に１つの舌片１が設けられ、この最終端ＭＲＥの略中央部から始端ＲＴ方向に所定距離離して１つの穴部２が設けられている。舌片１は、略矩形状に形成されており、穴部２は、この舌片１の幅とほぼ同一の幅か若干大きい幅のスリット状に形成されている。
【００２５】
このような構成のロール紙Ｒ１を巻回する際は、同図（Ｂ）に示すように、終端ＲＥを巻いて舌片１を穴部２に填め込む。これにより、ロール紙Ｒ１の終端ＲＥの一巻きでなる巻き芯３が形成されるので、以降はこの巻き芯３の周りにロール紙Ｒ１を始端ＲＴまで巻回して最終的なロール紙Ｒ１とする。これにより、従来必要であった紙管でなる巻き芯を不用とすることができるので、省資源化及び低コスト化を図ることができるとともに、紙管でなる巻き芯分のロール紙Ｒ１を増加させることができる。なお、図４（Ｂ）における舌片１は穴部２に填め込まれた後はそのままの状態としているが、図５に示すように、舌片１を穴部２に填め込んだ後に折り返すようにしてもよい。これにより、巻き芯３を巻き解き難くすることができる。
【００２６】
図６（Ａ）は、第２の実施の形態であるロール紙の巻回前の状態を示す平面図、同図（Ｂ）は、その巻回開始の状態を示す斜視図である。このロール紙Ｒ２には、同図（Ａ）に示すように、最終端ＭＲＥの両端部に２つの舌片１が設けられ、この最終端ＭＲＥの両端部から始端ＲＴ方向に所定距離離して２つの穴部２が設けられている。各舌片１は、略矩形状に形成されており、各穴部２は、各舌片１の幅とほぼ同一の幅か若干大きい幅のスリット状に形成されている。
【００２７】
このような構成のロール紙Ｒ２を巻回する際は、同図（Ｂ）に示すように、終端ＲＥを巻いて各舌片１を各穴部２に填め込む。これにより、ロール紙Ｒ２の終端ＲＥの一巻きでなる巻き芯３が形成されるので、以降はこの巻き芯３の周りにロール紙Ｒを始端ＲＴまで巻回して最終的なロール紙Ｒ２とする。このように、舌片１とそれに対応する穴部２の組を２組設けることにより、幅広のロール紙Ｒ２に対応することができる。なお、舌片１とそれに対応する穴部２の組は３組以上設けるようにしてもよい。また、舌片１を穴部２に填め込んだ後に折り返すようにしてもよい。
【００２８】
図７（Ａ）は、第３の実施の形態であるロール紙の巻回前の状態を示す平面図、同図（Ｂ）は、その巻回開始の状態を示す斜視図である。このロール紙Ｒ３には、同図（Ａ）に示すように、最終端ＭＲＥの略中央部に１つの舌片１が設けられ、この最終端ＭＲＥの略中央部から始端ＲＴ方向に所定距離離して第１の穴部２が設けられ、さらにこの第１の穴部２から所定間隔をあけて第２の穴部２が設けられている。舌片１は、略矩形状に形成されており、各穴部２は、舌片１の長さより若干短い間隔をあけて舌片１の幅とほぼ同一の幅か若干大きい幅のスリット状に形成されている。
【００２９】
このような構成のロール紙Ｒ３を巻回する際は、同図（Ｂ）に示すように、終端ＲＥを巻いて舌片１を第１の穴部２に填め込んだ後、さらに第２の穴部２に填め込む。これにより、ロール紙Ｒ３の終端ＲＥの一巻きでなる巻き芯３が形成されるので、以降はこの巻き芯３の周りにロール紙Ｒ３を始端ＲＴまで巻回して最終的なロール紙Ｒ３とする。このように、舌片１とそれに対応する２つの穴部２を設けることにより、舌片１をしっかりと保持することができ、巻き芯３を巻き解き難くすることができる。なお、舌片１とそれに対応する穴部２を３つ以上設けるようにしてもよい。また、舌片１とそれに対応する２つ以上の穴部２の組を２組以上設けるようにしてもよい。
【００３０】
図８（Ａ）は、第４の実施の形態であるロール紙の巻回前の状態を示す平面図、同図（Ｂ）は、その巻回開始の状態を示す斜視図である。このロール紙Ｒ４には、同図（Ａ）に示すように、終端ＲＥ側の略中央部に１つの穴部２が設けられ、最終端ＭＲＥの略中央部から始端ＲＴ方向に所定距離離して１つの舌片１が設けられている。舌片１は、略矩形状に形成されており、穴部２は、この舌片１の幅とほぼ同一の幅か若干大きい幅のスリット状に形成されている。
【００３１】
このような構成のロール紙Ｒ４を巻回する際は、同図（Ｂ）に示すように、終端ＲＥを巻いて舌片１を穴部２に填め込む。これにより、ロール紙Ｒ１の終端ＲＥの一巻きでなる巻き芯３が形成されるので、以降はこの巻き芯３の周りにロール紙Ｒ１を始端ＲＴまで巻回して最終的なロール紙Ｒ１とする。これにより、従来必要であった紙管でなる巻き芯を不用とすることができるので、省資源化及び低コスト化を図ることができるとともに、紙管でなる巻き芯分のロール紙Ｒ４を増加させることができる。
【００３２】
なお、図５と同様に、舌片１を穴部２に填め込んだ後に折り返すようにしてもよい。また、図６と同様に、終端ＭＲＥ側の両端部に２つもしくは３つ以上の穴部２を設け、最終端ＭＲＥの両端部から始端ＲＴ方向に所定距離離して２つもしくは３つ以上の舌片１を設けるようにしてもよく、図７と同様に、終端ＭＲＥ側の略中央部に１つの穴部２を設け、最終端ＭＲＥの略中央部から始端ＲＴ方向に所定距離離して第１の舌片１を設け、さらにこの第１の舌片１から所定間隔をあけて第２の舌片１を設けるようにしてもよく、さらに、これらの組み合わせでもよい。また、上述した各実施形態では、舌片１や穴部２を所定幅のスリットにより形成するようにしたが、単にカッター刃による切り込みにより形成するようにしてもよい。
【００３３】
図９〜図１１は、ロール紙ホルダ１０の詳細を示す分解斜視図、側面図、断面平面図である。このロール紙ホルダ１０は、上述したロール紙Ｒの終端で形成される巻き芯３を保持する軸芯１１と、この軸芯１１を構成する胴部１１ｃを回転自在に支持し、装着されたロール紙Ｒの外周面の一部を覆うことでロール紙Ｒの許容範囲を超える巻き解けを防止するカバー１２とを備えている。軸芯１１及びカバー１２は、それぞれ左右対称のものが２組用意されており、これらでロール紙Ｒを両側から狭持することでロール紙Ｒのホルダとして一体化される構成になっている。
【００３４】
軸芯１１は、中空円筒状の部材であり、一方の端部にはロール紙Ｒの終端で形成される巻き芯３の端部内周に挿入されることにより巻き芯３を内側から保持する挿入保持片１１ａと、ロール紙Ｒの円滑な装着を可能にする案内リブ１１ｂとが形成されている。また、軸芯１１の中央には後述するカバー１２の軸受部１２ａによって遊嵌保持される胴部１１ｃが形成されており、他方の端部にはユーザによる回転操作によりロール紙Ｒを巻き戻すキャップ状の操作ノブ１１ｄが一体的に形成されている。
【００３５】
挿入保持片１１ａは、幾分円周方向に湾曲した矩形平板状の部材であり、その自由端側の一部は胴部１１ｃの外周面から半径方向に一定の間隙Ｇを隔てて片持ち状態で支持されている。このような間隙Ｇを形成することにより、カバ一１２に軸芯１１を取り付ける際に、カバー１２の軸受部１２ａと軸芯１１の胴部１１ｃとの重なり部分を多くすることができるので、軸芯１１をカバー１２にコンパクトな状態でよりしっかりと保持させることが可能となる。
【００３６】
また、挿入保持片１１ａの自由端側の端部には半径方向外側に突出する度当て１１ｅが形成されている。この度当て１１ｅは、ロール紙Ｒの終端で形成される巻き芯３の両端面に当接することにより、２組の軸芯１１及びカバー１２の軸方向での距離を規定する機能を果たす。
【００３７】
案内リブ１１ｂは、板バネ状の弾性片１１ｆの自由端側先端に形成されており、ロール紙Ｒの終端で形成される巻き芯３ヘの挿入側には傾斜案内面１１ｇが形成されている。胴部１１ｃの操作ノブ１１ｄ側の周面には４個所にスリットが形成されており、各スリットの形成部位にはカバー１２との係合手段となる弾性係合片１１ｈが形成されている。
【００３８】
カバー１２は、ロール紙Ｒの幅方向端部の周面を覆う被覆部１２ｂと、その外方の端面の一部を閉塞する円環状の端部閉塞部１２ｃと、端部閉塞部１２ｃの内径端縁から内側に向けて張り出すように形成される円筒状の軸受部１２ａと、被覆部１２ｂの前面側下方に一例として形成される転がり防止台座１２ｄとを有している。
【００３９】
被覆部１２ｂの前面側上方の部位は一部切除されており、この部分は装着されたロール紙Ｒを繰り出すための繰り出し開口部１２ｅとなっている。また、被覆部１２ｂの内周面はロール紙Ｒ側へ向って拡がるようにテーパ状に形成されており、これによりロール紙Ｒの端縁と被覆部１２ｂの内面とが線接触して、ロール紙Ｒの回転時の摩擦抵抗が極力小さくなるようにしている。
【００４０】
端部閉塞部１２ｃの内径端縁付近には、軸芯１１における弾性係合片２２ａと係合する係合段差部１２ｆが形成されており、弾性係合片２２ａと係合段差部１２ｆとの係合によりカバー１２の外側方向への移動が制限されるようになっている。
【００４１】
また、軸受部１２ａの内径は軸芯１１における操作部材２２の外径より幾分大きめに設定されており、これによりロール紙Ｒの軸心の多少の揺れや傾きを許容してロール紙Ｒの送り出しを滑らかに行えるようにする作用と、軸芯１１とカバー１２との結合を容易にする作用を併せ持つ。尚、軸芯１１とカバー１２の材料は共に同じ材料、例えば硬質のプラスチック材料が適用できる。この場合、摩擦係数が同じであるため、軸受部１２ａに摺接する操作部材２２の回転は安定性を増すようになる。
【００４２】
転がり防止台座１２ｄは、被覆部１２ｂに形成されている繰り出し開口部１２ｅの下方から斜め下方に延びる取付傾斜面１２ｇと、この取付傾斜面１２ｇの下端と被覆部１２ｂの最下部とを水平に連結する実質的な転がり防止作用をする台座面１２ｈとを有している。そして、取付傾斜面１２ｇには、図１２に示すようにインクジェット式記録装置１００の給紙口１４０の後方に形成されている係合溝１３、あるいは図１３に示すような後付けアタッチメント１５に形成されている係合溝１５ａに係合し保持される係合爪１２ｉが形成されている。ここで、後付けアタッチメント１５は、例えばペーパーサポート取付用の被取付部を利用して取り付けられるように構成されており、これにより上記係合溝１３が無いタイプのインクジェット式記録装置にもロール紙ホルダ１０を適用することができる。
【００４３】
これらの係合溝１３、１５ａと係合爪１２ｉとの間にはカバー１２の取付位置を規制する左右誤装着防止機構が設けられている。すなわち、係合溝１３、１５ａにおける実質的な保持作用を行う保持作用部１３ａ、１５ｂに形成される位置決めスリット１３ｂ、１５ｃの位置と、係合爪１２ｉにおける保持鉤部１２ｊから垂直に立ち上がる位置決めリブ１２ｋの位置とを左右対称とせず、幾分左右いずれかに偏った位置に設定することにより、誤って左右を反対にして装着しようとした場合でも装着できないようになっている。
【００４４】
また、図１３に示すように、位置決めスリット１５ｃは位置決めリブ１２ｋを受け入れる入口側において広く、奥部側において狭くなるように形成されており、これにより両者の係合状態は比較的寛容となり、ロール紙Ｒの軸心の多少の揺れや傾きを許容してロール紙Ｒが滑らかに回転して確実に繰り出されるようになっている。
【００４５】
以上、本発明を種々の実施形態に関して述べたが、本発明は以上の実施形態に限られるものではなく、特許請求の範囲に記載された発明の範囲内で、他の実施形態についても適用されるのは勿論である。例えば、記録装置としてインクジェット式のプリンタを例に説明したが、これに限られるものではなく、ロール紙が使用可能な記録装置であれば、例えば熱転写式等のプリンタ、インクジェット式、熱転写式等のファクシミリ装置やコピー装置等にも適用可能である。
【００４６】
【発明の効果】
以上説明したように、本発明によれば、従来必要であった別体でなるロール状の記録媒体の巻き芯を不用とすることができるので、省資源化及び低コスト化を図ることができる。また、巻き芯分の記録媒体を増加させたロール状の記録媒体を提供することができる。
【図面の簡単な説明】
【図１】本発明の一実施の形態に係る記録装置の１つであるインクジェット式記録装置の外装構成の全体を斜め前方から見た斜視図である。
【図２】図１のインクジェット式記録装置の内部構成例を示す第１の断面側面図である。
【図３】図１のインクジェット式記録装置の内部構成例を示す第２の断面側面図である。
【図４】第１の実施の形態であるロール紙の巻回前の状態を示す平面図及びその巻回開始の状態を示す斜視図である。
【図５】図４の別の形態を示す斜視図である。
【図６】第２の実施の形態であるロール紙の巻回前の状態を示す平面図及びその巻回開始の状態を示す斜視図である。
【図７】第３の実施の形態であるロール紙の巻回前の状態を示す平面図及びその巻回開始の状態を示す斜視図である。
【図８】第４の実施の形態であるロール紙の巻回前の状態を示す平面図及びその巻回開始の状態を示す斜視図である。
【図９】図１のインクジェット式記録装置に使用可能なロール紙ホルダの詳細を示す分解斜視図である。
【図１０】図１のインクジェット式記録装置に使用可能なロール紙ホルダの詳細を示す側面図である。
【図１１】図１のインクジェット式記録装置に使用可能なロール紙ホルダの詳細を示す断面平面図である。
【図１２】図４のロール紙ホルダの取付部位を示す斜視図である。
【図１３】図４のロール紙ホルダの取付部位を示す別の斜視図である。
【符号の説明】
１　　　　　舌片
２　　　　　穴部
３　　　　　巻き芯
１０　　　　ロール紙ホルダ
１１　　　　軸芯
１２　　　　カバー
１００　　　インクジェット式記録装置
１０１　　　ハウジング
１１０　　　カバー
１２０　　　操作部
１３０　　　カードスロット部
１４０　　　給紙口
１５０　　　排紙口
１６０　　　排紙スタッカ
１６１、１６２、１６３　スタッカ部材
１９９　　　排紙ローラ
【図１】
2004067358.tif 000003
【図２】
2004067358.tif 000004
【図３】
2004067358.tif 000005
【図４】
2004067358.tif 000006
【図５】
2004067358.tif 000007
【図６】
2004067358.tif 000008
【図７】
2004067358.tif 000009
【図８】
2004067358.tif 000010
【図９】
2004067358.tif 000011
【図１０】
2004067358.tif 000012
【図１１】
2004067358.tif 000013
【図１２】
2004067358.tif 000014
【図１３】
2004067358.tif 000015